(57)【要約】【課題】ドレンパンに溜まるスライムを自動で除去することができるドレンパン洗浄装置およびこれを備えた空気調和装置を提供する。【解決手段】ドレンパン洗浄装置３１は、電動機４３およびこの電動機４３の駆動により回転する巻取部材４５を有する駆動部５５と、ドレンパン３１の表面を摺動させるワイヤブラシ５１と、一端側が巻取部材４５に、他端側にワイヤブラシ５１が取り付けられ、電動機４３の駆動によってワイヤブラシ５１を動作させるワイヤ４９と、を備えている。【選択図】図３
2010156482.tif 000002
【特許請求の範囲】
【請求項１】
空気調和装置のドレンパン（３１）を洗浄するための装置であって、
電動機（４３）を有する駆動手段（５５）と、
前記ドレンパン（３１）の表面に摺動する洗浄部材（５１）と、
一端側が前記駆動手段（５５）に取り付けられ、他端側に前記洗浄部材（５１）が取り付けられており、前記電動機（４３）の駆動によって前記洗浄部材（５１）を移動可能なアーム部材（４９）と、を備えたドレンパン洗浄装置。
【請求項２】
前記駆動手段（５５）は、前記電動機（４３）の駆動によって回転軸を中心に両方向に回転可能な巻取部材（４５）をさらに有し、
前記アーム部材（４９）は、可撓性を有し、前記一端側が前記巻取部材（４５）に取り付けられ、前記巻取部材（４５）が一方の方向に回転したときに前記巻取部材（４５）に巻き取られ、前記巻取部材（４５）が他方の方向に回転したときに前記巻取部材（４５）から送り出される、請求項１に記載のドレンパン洗浄装置。
【請求項３】
前記アーム部材（４９）は、前記巻取部材（４５）の回転により前記洗浄部材（５１）を往復移動可能である、請求項２に記載のドレンパン洗浄装置。
【請求項４】
前記アーム部材（４９）がワイヤであり、前記洗浄部材（５１）がワイヤブラシである、請求項２または３に記載のドレンパン洗浄装置。
【請求項５】
熱交換器（１９）と、
前記熱交換器（１９）の下方に配置され、ドレン水が排水されるドレン出口（３３）を有するドレンパン（３１）と、
前記ドレンパン（３１）の上方に配置された、請求項１〜４のいずれかに記載のドレンパン洗浄装置（４１）と、
前記ドレンパン洗浄装置（４１）を制御する制御手段（７５ａ）と、を備えた空気調和装置。
【請求項６】
前記ドレンパン洗浄装置（４１）は前記ドレン出口（３３）の斜め上方に配置されており、前記アーム部材（４９）は、斜め下方に送り出されて前記洗浄部材（５１）を前記ドレン出口（３３）に移動させるように構成されている、請求項５に記載の空気調和装置。
【請求項７】
前記ドレンパン（３１）は、前記ドレン出口（３３）と連通するとともに前記ドレン出口（３３）から前記ドレンパン（３１）の外方に延設された管状のドレンソケット（３５）をさらに有しており、前記アーム部材（４９）は、前記洗浄部材（５１）が前記ドレンソケット（３５）の内面を摺動するように構成されている、請求項５に記載の空気調和装置。
【請求項８】
前記制御手段（７５ａ）は、空気調和装置の運転開始時および運転停止時の少なくとも一方に前記ドレンパン（３１）の洗浄を実行する、請求項５〜７のいずれかに記載の空気調和装置。
【請求項９】
前記ドレンパン（３１）内のドレン水の水位を検知するフロートスイッチ（３９）をさらに備え、
前記制御手段（７５ａ）は、前記フロートスイッチ（３９）からの信号を受信した場合に、前記ドレンパン（３１）の洗浄を実行する、請求項５〜７のいずれかに記載の空気調和装置。
【請求項１０】
前記制御手段（７５ａ）は、
運転モードが冷房運転であることを検出し、
顕熱比が１未満の冷房運転であることまたは空気調和装置内の空気が露点未満であることを検出し、かつ、
タイマにより計測される前回洗浄時からの経過時間が所定値以上であることを検出した場合に、前記ドレンパン（３１）の洗浄を実行する、請求項５〜７のいずれかに記載の空気調和装置。
【請求項１１】
前記制御手段（７５ａ）は、
運転モードが暖房運転であることを検出し、かつ、
運転回数計測手段により計測される除霜運転の回数が所定値以上であることを検出した場合に、前記ドレンパン（３１）の洗浄を実行する、請求項５〜７のいずれかに記載の空気調和装置。
【請求項１２】
加湿器をさらに備え、
前記制御手段（７５ａ）は、
運転モードが暖房運転であることを検出し、かつ、
前記加湿器の運転を検出した場合に、前記ドレンパン（３１）の洗浄を実行する、請求項５〜７のいずれかに記載の空気調和装置。
【発明の詳細な説明】
【技術分野】
【０００１】
本発明は、ドレンパン洗浄装置およびこれを備えた空気調和装置に関するものである。
【背景技術】
【０００２】
一般に、空気調和装置はケーシングの内部に送風機、熱交換器などを備えている。室内の空気は、送風機の運転によってケーシングに設けられた吸込口からケーシング内に吸い込まれ、熱交換器において冷媒との間で熱交換された後、吹出口から室内に吹き出される。空気調和装置を長期間運転すると、空気に含まれている塵埃などがケーシング内に溜まる。そのため、例えば特許文献１には、ファンの塵埃を除去するためのファン清掃装置を備えた空気調和装置が提案されており、特許文献２には、フィルター上のごみを自動で清掃するフィルター清掃機能付きの空気調和装置が提案されている。
【０００３】
また、ケーシング内の熱交換器の下方に配設されるドレンパンには塵埃や雑菌などで構成される泥状物（いわゆるスライム）が溜まる。このスライムがドレン出口付近に溜まると、ドレン水の排水性が低下してドレンパンに水が溜まりやすくなり、ついにはドレン水をドレン出口から排水しきれなくなってエアコンから水漏れを起こすことがある。そこで、ドレンパン中のドレン水の水位上昇を検知器により検知する技術が提案されている（例えば特許文献３）。
【特許文献１】特開２００２−２６７２４９号公報
【特許文献２】特開２００２−５５０４号公報
【特許文献３】特開２００３−２６２３５５号公報
【発明の開示】
【発明が解決しようとする課題】
【０００４】
しかしながら、上記のようにドレンパン中の水位の異常を検知した場合には、ユーザーやメンテナンス業者の作業員などがスライムを除去するメンテナンス作業を行う必要があった。
【０００５】
そこで、本発明は、かかる点に鑑みてなされたものであり、その目的とするところは、ドレンパンに溜まるスライムを自動で除去することができるドレンパン洗浄装置およびこれを備えた空気調和装置を提供することにある。
【課題を解決するための手段】
【０００６】
本発明のドレンパン洗浄装置は、空気調和装置のドレンパン（３１）を洗浄するためのものであって、電動機（４３）を有する駆動手段（５５）と、前記ドレンパン（３１）の表面を摺動させる洗浄部材（５１）と、一端側が前記駆動手段（５５）に取り付けられ、他端側に前記洗浄部材（５１）が取り付けられており、前記電動機（４３）の駆動によって前記洗浄部材（５１）を移動可能なアーム部材（４９）と、を備えている。
【０００７】
この構成では、ドレンパン（３１）の表面に摺動する洗浄部材（５１）がアーム部材（４９）を介して駆動手段（５５）に取り付けられており、電動機（４３）の駆動によって洗浄部材（５１）を動作させてドレンパン（３１）の表面に摺動させることができるので、この洗浄部材（５１）によりドレンパン（３１）に溜まるスライムを自動で除去することができる。
【０００８】
前記駆動手段（５５）は、前記電動機（４３）の駆動によって回転軸を中心に両方向に回転可能な巻取部材（４５）をさらに有し、前記アーム部材（４９）は、可撓性を有し、前記一端側が前記巻取部材（４５）に取り付けられ、前記巻取部材（４５）が一方の方向に回転したときに前記巻取部材（４５）に巻き取られ、前記巻取部材（４５）が他方の方向に回転したときに前記巻取部材（４５）から送り出される形態であるのが好ましい。
【０００９】
この構成では、巻取部材（４５）の回転によりアーム部材（４９）を巻き取り、または送り出すことができるので、アーム部材（４９）およびこれに取り付けられた洗浄部材（５１）を安定的にかつ円滑に動作させることができる。また、洗浄時以外のときにはアーム部材（４９）を巻取部材（４５）に巻き取っておくことにより、ドレンパン洗浄装置全体をコンパクトにまとめておくことができる。
【００１０】
前記アーム部材（４９）は、前記巻取部材（４５）の回転により前記洗浄部材（５１）を往復移動可能である構造であってもよい。
【００１１】
この構成では、巻取部材（４５）の回転によるアーム部材（４９）の巻き取りおよび送り出しの動きに応じて洗浄部材（５１）を往復移動させることができるので、洗浄部材（５１）をドレンパン（３１）の表面において往復移動させてスライムを効果的に除去することができる。
【００１２】
具体的には、可撓性を有するアーム部材（４９）としては、例えばワイヤが挙げられ、前記洗浄部材（５１）としては、例えばワイヤブラシが挙げられる。
【００１３】
本発明の空気調和装置は、熱交換器（１９）と、前記熱交換器（１９）の下方に配置され、ドレン水が排水されるドレン出口（３３）を有するドレンパン（３１）と、前記ドレンパン（３１）の上方に配置された前記ドレンパン洗浄装置（４１）と、前記ドレンパン洗浄装置（４１）を制御する制御手段（７５ａ）と、を備えている。
【００１４】
この構成では、空気調和装置が上記したドレンパン洗浄装置（４１）を備えているので、ドレンパン（３１）に溜まるスライムを自動で除去することできる。これにより、ユーザーやメンテナンス業者の作業員によるメンテナンス作業が不要になるか、またはメンテナンス作業の頻度を低減することができる。
【００１５】
前記ドレンパン洗浄装置（４１）は前記ドレン出口（３３）の斜め上方に配置されており、前記アーム部材（４９）は、斜め下方に送り出されて前記洗浄部材（５１）を前記ドレン出口（３３）に移動させるように構成されていてもよい。
【００１６】
この構成では、ドレンパン洗浄装置（４１）がドレン出口（３３）の斜め上方に配置されているので、ドレンパン洗浄装置（４１）の未使用時にはドレンパン（３１）に溜まったドレン水がドレンパン洗浄装置（４１）に付着しにくいというメリットがある一方で、使用時には、ドレン出口（３３）の斜め上方からドレン出口（３３）に向けて斜め下方に洗浄部材（５１）を送り出すことができる。斜め下方に送り出された洗浄部材（５１）は、特にスライムが溜まりやすいドレン出口（３３）の近傍を選択的に洗浄することができる。しかも、洗浄部材（５１）を斜め下方に送り出す構造であることにより、洗浄部材（５１）をドレンパン（３１）の底面に押しつける押圧力を高めることができるので、洗浄部材（５１）を水平方向に送り出す構造と比較して洗浄効果をより向上させることができる。
【００１７】
前記ドレンパン（３１）は、前記ドレン出口（３３）と連通するとともに前記ドレン出口（３３）から前記ドレンパン（３１）の外方に延設された管状のドレンソケット（３５）をさらに有しており、前記アーム部材（４９）は、前記洗浄部材（５１）が前記ドレンソケット（３５）の内面を摺動するように構成されていてもよい。
【００１８】
通常、ドレン出口（３３）およびこれにつながる管状のドレンソケット（３５）は、内径が小さいのでスライムが溜まりやすく、しかも清掃がしにくい。この構成では、ドレンソケット（３５）の内面を洗浄部材（５１）が摺動するので、スライムの溜まりやすいドレン出口（３３）およびドレンソケット（３５）の清掃を効果的に行うことができる。
【００１９】
前記制御手段（７５ａ）は、空気調和装置の運転開始時および運転停止時の少なくとも一方に前記ドレンパン（３１）の洗浄を実行してもよい。
【００２０】
このように運転開始時および運転停止時の少なくとも一方にドレンパン（３１）の洗浄を行うようにすることにより、ドレンパン（３１）の洗浄を定期的に実施することができる。
【００２１】
本発明の空気調和装置は、前記ドレンパン（３１）内のドレン水の水位を検知するフロートスイッチ（３９）をさらに備え、前記制御手段（７５ａ）は、前記フロートスイッチ（３９）からの信号を受信した場合に、前記ドレンパン（３１）の洗浄を実行してもよい。
【００２２】
この構成では、フロートスイッチ（３９）からの信号を検知した場合、すなわち実際にドレンパン（３１）内にドレン水が所定量以上溜まったことを検知した場合にドレンパン（３１）の洗浄を実行するので、実際に洗浄が必要なときにタイミングよく洗浄を実行することができる。
【００２３】
前記制御手段（７５ａ）は、運転モードが冷房運転であることを検出し、顕熱比が１未満の冷房運転であることまたは装置内の空気が露点未満であることを検出し、かつ、タイマにより計測される前回洗浄時からの経過時間が所定値以上であることを検出した場合に、前記ドレンパン（３１）の洗浄を実行してもよい。
【００２４】
この構成では、上記したようなドレン水が生じやすい条件を満たす場合にドレンパン（３１）の洗浄を実行するので、ドレンパン（３１）にドレン水が過剰に溜まるのを効果的に抑制することができる。
【００２５】
前記制御手段（７５ａ）は、運転モードが暖房運転であることを検出し、かつ、運転回数計測手段により計測される除霜運転の回数が所定値以上であることを検出した場合に、前記ドレンパン（３１）の洗浄を実行してもよい。また、本発明の空気調和装置は、加湿器をさらに備え、前記制御手段（７５ａ）は、運転モードが暖房運転であることを検出し、かつ、前記加湿器の運転を検出した場合に、前記ドレンパン（３１）の洗浄を実行してもよい。
【００２６】
これらの構成では、暖房運転中であってもドレンパン（３１）にドレン水が溜まりやすい上記条件を満たす場合にドレンパン（３１）の洗浄を実行するので、ドレンパン（３１）にドレン水が過剰に溜まるのを効果的に抑制することができる。
【発明の効果】
【００２７】
以上説明したように、本発明によれば、ドレンパンの表面を摺動させる洗浄部材がアーム部材を介して駆動手段に取り付けられており、電動機の駆動によって洗浄部材を動作させることができるので、この洗浄部材によりドレンパンに溜まるスライムを自動で除去することができる。これにより、煩雑なメンテナンス作業が不要になるか、または作業頻度を低減することができる。
【発明を実施するための最良の形態】
【００２８】
以下、本発明を実施するための最良の形態について図面を参照しながら詳細に説明する。図１に示すように本実施形態にかかる空気調和装置７１は、室内機２５と室外機７３とを備えている。この空気調和装置７１は、室内機２５に配設された熱交換器１９と、室外機７３に配設された圧縮機７５、熱交換器７７および膨張弁７９と、これらを接続する配管とを含む冷媒回路を備えている。室内機２５は、熱交換器１９の下方に配置されたドレンパン３１を備えている。
【００２９】
この空気調和装置７１は、冷媒回路の配管の一部に配設された四路切換弁８７により冷媒の流れ方向を切り換えることによって、冷房運転と暖房運転を切り換えることができる。室内機２５および室外機７３は送風機１７，８１をそれぞれ備えている。この室内機２５および室外機７３の運転は、制御部７５により制御される。この制御部７５は、室内機２５の運転を制御する室内制御部（制御手段）７５ａを有している。
【００３０】
図２は室内機２５内のドレンパン３１周辺の概略構造を示す平面図であり、図３はそのIII−III線断面図である。図２および図３に示すように、ドレンパン３１は、平たく浅い皿のような形状を有しており、熱交換器１９において生じる凝縮水（ドレン水）を受けるためのものである。
【００３１】
このドレンパン３１は、ドレン水を外部に排出するためのドレン出口３３と、このドレン出口３３と連通するとともにドレン出口３３からドレンパン３１の外方に延設されたドレンソケット３５とを有している。このドレンソケット３５にはドレン配管３７が接続されている。ドレンパン３１内の内壁の近傍には、ドレンパン３１内のドレン水の水位を検知するフロートスイッチ３９が配設されている。
【００３２】
図３に示すように、ドレンパン３１の上部にはドレンパン洗浄装置４１が配設されている。この洗浄装置４１は、駆動部５５と、一端側が駆動部５５につながれたワイヤ４９と、このワイヤ４９の他端側に設けられたワイヤブラシ５１とを備えている。この洗浄装置４１は、ドレン出口３３の斜め上方に配置されており、ワイヤ４９の送り出し方向がドレン出口３３に向くように全体が傾斜した状態で、図略の支持部材を介して室内機２５のケーシングの内壁に支持されている。
【００３３】
駆動部５５は、電動機４３と、この電動機４３の駆動によって回転軸５３を中心に両方向に回転可能な筒状の巻取部材４５と、電動機４３および巻取部材４５の台座としての役割を果たすとともに内部にワイヤ４９が挿通されてワイヤ４９の移動方向を案内する役割も果たすガイド部材４７とを有している。
【００３４】
ワイヤ４９は、一端が巻取部材４５に固定されており、巻取部材４５が一方の方向に回転したときに巻取部材４５に巻き取られ、巻取部材４５が他方の方向に回転したときに巻取部材４５からドレン出口３３に向かって送り出される。このようにワイヤ４９は巻取部材４５に巻回可能な程度の可撓性を備えている。
【００３５】
また、ワイヤ４９は、ガイド部材４７による案内方向に沿ってドレン出口３３に向かって送り出されてからワイヤブラシ５１がドレンパン３１の底面に接地するまでの間、斜め下方向きの方向をある程度維持できるような剛性を備えているのが好ましい。これにより、ワイヤブラシ５１をドレン出口３３に向けてより正確に移動させることができる。
【００３６】
さらに、ワイヤ４９は、ワイヤブラシ５１がドレンパン３１の底面に接した後はその底面に沿った方向に折れ曲がってドレン出口３３に向かう略水平方向に向きを変えることができるとともに、ワイヤ４９が巻き取られてワイヤブラシ５１が引き戻される際にワイヤブラシ５１が底面から離れるときに折れ曲がったワイヤ４９が元どおりにのびるような可撓性および弾性を備えているのが好ましい。
【００３７】
ワイヤブラシ５１は、ワイヤ４９を中心にして複数のワイヤが放射状に配設されて構成されている。ワイヤブラシ５１の外径は、ドレン出口３３およびドレンソケット３５の内径よりも大きく設計されている。ワイヤブラシ５１を構成する各ワイヤは、ドレン出口３３およびドレンソケット３５内においてこれらの内面に沿うように撓むまたは折れ曲がることができ、かつ、ドレン出口３３およびドレンソケット３５から引き出されたときには形状が復元されるような可撓性および弾性を備えている。
【００３８】
ワイヤ４９およびワイヤブラシ５１としては、鉄、ステンレス鋼などの金属、合成樹脂などの種々の材料を用いることができる。ワイヤ４９は、上記した適度な剛性、可撓性および弾性を付与できるように上記材料などからなる線材を複数本束ねたものであってもよく、複数本を縒ったより線であってもよい。
【００３９】
次に、ドレンパン洗浄装置４１の動作について説明する。電動機４３が駆動して巻取部材４５が図３における反時計回りに回転すると、ワイヤ４９は斜め下方に送り出され、ワイヤ４９の自重およびワイヤブラシ５１の重みにより下方に撓みながらドレン出口３３に向かって進み、ドレン出口３３の近傍またはそれより手前においてドレンパン３１の底面に接する。
【００４０】
巻取部材４５を引き続き反時計回りに回転させると、ワイヤ４９が撓みまたは折れ曲がってワイヤブラシ５１がドレンパン３１の底面に沿った略水平方向に向いて進み、図４に示すようにワイヤブラシ５１がドレン出口３３に挿入される。
【００４１】
ワイヤブラシ５１がドレン出口３３を通じてドレンソケット３５内にある程度挿入された時点で、電動機４３の駆動方向を反転させて巻取部材４５を時計回りに回転させると、ワイヤ４９が巻取部材４５に巻き取られてワイヤブラシ５１が引き戻される。
【００４２】
ワイヤ部材５１がある程度引き戻された時点で、電動機４３の駆動方向を再度反転させて巻取部材４５を反時計回りに回転させると、ワイヤブラシ５１は再びドレンソケット３５内をドレン配管３７側へ進む。
【００４３】
このような動作を繰り返すことによってワイヤブラシ５１をドレン出口３３およびドレンソケット３５内において往復移動させることができる。これにより、ドレン出口３３およびドレンソケット３５に堆積するスライム６１が除去されてドレン配管３７を通じて排出される。
【００４４】
以上説明したように、上記実施形態にかかるドレンパン洗浄装置４１は、電動機４３を有する駆動部５５と、ドレンパン３１の表面を摺動させる洗浄部材５１と、一端側が駆動部５５に取り付けられ、他端側に洗浄部材５１が取り付けられており、電動機４３の駆動によって洗浄部材５１を移動可能なアーム部材４９と、を備えているので、洗浄部材５１によりドレンパン３１に溜まるスライムを自動で除去することができる。
【００４５】
また、上記実施形態では、駆動部５５は、電動機４３の駆動によって回転軸５３を中心に両方向に回転可能な巻取部材４５をさらに有し、アーム部材４９は、可撓性を有し、一端側が巻取部材４５に取り付けられ、巻取部材４５が一方の方向に回転したときに巻取部材４５に巻き取られ、巻取部材４５が他方の方向に回転したときに巻取部材４５から送り出される形態であるので、アーム部材４９およびこれに取り付けられた洗浄部材５１を安定でかつ円滑に動作させることができる。また、洗浄時以外のときにはアーム部材４９を巻取部材４５に巻き取っておくことにより、ドレンパン洗浄装置４１自体をコンパクトにまとめておくことができる。
【００４６】
また、上記実施形態では、アーム部材４９は、巻取部材４５の回転により洗浄部材５１を往復移動可能である構造であるので、洗浄部材５１をドレンパン３１の表面において往復移動させてスライムを効果的に除去することができる。
【００４７】
また、上記実施形態では、アーム部材４９がワイヤであり、洗浄部材５１がワイヤブラシであるので、適度な可撓性、弾性および剛性を付与できるとともに安価である。
【００４８】
また、上記実施形態では、空気調和装置７１は、熱交換器１９と、熱交換器１９の下方に配置され、ドレン水６３が排水されるドレン出口３３を有するドレンパン３１と、ドレンパン３１の上方に配置されたドレンパン洗浄装置４１と、ドレンパン洗浄装置４１を制御する室内制御部７５ａと、を備えているので、ドレンパン３１に溜まるスライムを自動で除去することできる。これにより、ユーザーやメンテナンス業者によるメンテナンス作業が不要になるか、またはメンテナンス作業の頻度を低減することができる。
【００４９】
また、上記実施形態では、ドレンパン洗浄装置４１はドレン出口３３の斜め上方に配置されており、アーム部材４９は、斜め下方に送り出されて洗浄部材５１をドレン出口３３に移動させるように構成されているので、未使用時にはドレンパン洗浄装置４１にドレンパン３１に溜まったドレン水６３が付着しにくいというメリットがある一方で、使用時には、ドレン出口３３の斜め上方からドレン出口３３に向けて斜め下方に洗浄部材５１を送り出すことができる。斜め下方に送り出された洗浄部材５１は、特にスライムが溜まりやすいドレン出口３３の近傍を選択的に洗浄することができる。しかも、洗浄部材５１を斜め下方に送り出す構造であることにより、ドレンパンの底面に洗浄部材５１を押しつける力を高めることができるので、水平方向の動きと比較して洗浄効果をより向上させることができる。
【００５０】
また、上記実施形態では、ドレンパン３１は、ドレン出口３３と連通するとともにドレン出口３３からドレンパン３１の外方に延設された管状のドレンソケット３５をさらに有しており、アーム部材４９は、洗浄部材５１がドレンソケット３５の内面を摺動するように構成されているので、スライムの溜まりやすいドレン出口３３およびドレンソケット３５の清掃を効果的に行うことができる。
【００５１】
次に、本実施形態にかかる空気調和装置７１の制御の流れについて説明する。
【００５２】
＜制御例１＞
図５は、空気調和装置７１の制御例１を示すフローチャートである。本制御例１では、図５に示すように空気調和装置７１の運転が開始されると、ステップＳ１において、室内制御部７５ａはドレンパン３１の洗浄を実行する。具体的には、室内制御部７５ａは、電動機４３を駆動させて巻取部材４５からワイヤ４９を送り出し、ワイヤブラシ５１をドレン出口３３およびドレンソケット３５の内部に挿入した状態でワイヤブラシ５１を往復移動させてドレン出口３３およびドレンソケット３５の内面を洗浄する。
【００５３】
ドレンパン３１の洗浄が完了すると、ステップＳ２において室内制御部７５ａは、通常運転（冷房運転、暖房運転、除湿運転など）を開始する。
【００５４】
ステップＳ３では、ユーザーから運転停止の指示があるか否かを判別する。ユーザーが運転停止の指示を出したときには、室内制御部７５ａは空気調和装置７１の運転を終了し、ユーザーから運転停止の指示が出されていないときには、通常運転を継続し、ステップＳ３の判別を繰り返す。
【００５５】
この制御例１では、室内制御部７５ａは、空気調和装置７１の運転開始時にドレンパン３１の洗浄を実行するので、ドレンパン３１の洗浄を定期的に実施することができる。
【００５６】
＜制御例２＞
図６は、空気調和装置７１の制御例２を示すフローチャートである。本制御例２では、図６に示すように空気調和装置７１の運転停止時にドレンパン３１の洗浄を実行する。
【００５７】
空気調和装置７１の運転が開始されると、室内制御部７５ａは、通常運転中にユーザーから運転停止の指示があるまで通常の運転を継続し、ステップＳ１１においてユーザーからの運転停止の指示があった場合にはステップＳ１２に進み、制御例１と同様にしてドレンパン３１の洗浄を実行する。室内制御部７５ａは、ドレンパン３１の洗浄が完了すると、空気調和装置７１の運転を終了する。
【００５８】
この制御例２では、室内制御部７５ａは、空気調和装置７１の運転停止時にドレンパン３１の洗浄を実行するので、ドレンパン３１の洗浄を定期的に実施することができる。
【００５９】
なお、この制御例２は、上記した制御例１と組み合わせてもよい。すなわち、室内制御部７５ａは、空気調和装置７１の運転開始時および運転停止時の両方にドレンパン３１の洗浄を実行してもよい。
【００６０】
＜制御例３＞
図７は、空気調和装置７１の制御例３を示すフローチャートである。本制御例３では、ドレンパン３１内の水位に基づいてドレンパン３１の洗浄を実行する。
【００６１】
空気調和装置７１の運転が開始されると、ステップＳ２１において、室内制御部７５ａは、ユーザーから運転停止の指示があるまではステップＳ２２に進み運転を継続し、ユーザーから運転停止の指示があった場合には運転を終了する。
【００６２】
ステップＳ２２では、室内制御部７５ａは、ドレンパン３１内のドレン水の水位が所定の高さ以上になっているか否かを判別する。ドレンパン３１内の水位はフロートスイッチ３９により検知する。ドレンパン３１内の水位が所定高さに達すると、室内制御部７５ａはフロートスイッチ３９からその信号を受信し、ステップＳ２３に進む。ドレンパン３１内の水位が所定高さに達していない場合にはステップＳ２１に戻る。
【００６３】
ステップＳ２３では、室内制御部７５ａは、制御例１と同様にしてドレンパン３１の洗浄を実行し、ドレンパン１の洗浄が完了するとステップＳ２１に戻り、上記判別を繰り返す。
【００６４】
この制御例３では、空気調和装置７１は、ドレンパン３１内のドレン水６３の水位を検知するフロートスイッチ３９をさらに備え、室内制御部７５ａは、フロートスイッチ３９からの信号を受信した場合に、ドレンパン３１の洗浄を実行するので、実際に洗浄が必要なときにタイミングよく洗浄を実行することができる。
【００６５】
＜制御例４＞
図８は、空気調和装置７１の制御例４を示すフローチャートである。本制御例４では、室内制御部７５ａは、前回のドレンパン３１の洗浄からの累積運転時間を計測するためのタイマを備えている。
【００６６】
空気調和装置７１の運転が開始されると、ステップＳ３１において、室内制御部７５ａは、ユーザーから指示された運転モードの判別を行う。室内制御部７５ａは、運転モードが冷房運転である場合にはステップＳ３２に進み、運転モードが冷房運転以外の運転（暖房運転、除湿運転など）である場合にはステップＳ３８に進む。ステップＳ３８では、室内制御部７５ａは、ユーザーからの運転停止の指示があるか否かを判別し、その指示があるまでは空気調和装置７１の運転を継続し、指示があった場合には運転を終了する。
【００６７】
ステップＳ３２において、室内制御部７５ａは、ユーザーから冷房運転の停止の指示があるまでは運転を継続しステップＳ３３に進み、ユーザーから冷房運転の停止の指示があった場合には空気調和装置７１の運転を終了する。
【００６８】
ステップＳ３３では、顕熱比（ＳＨＦ）が１未満の冷房運転であるか否かを判別する。ＳＨＦ＝１である場合には冷房運転中であってもドレン水は生じないので、室内制御部７５ａは、ドレンパン３１の洗浄を実行せず、ステップＳ３２に戻る。一方、ＳＨＦ＜１である場合には、室内制御部７５ａはステップＳ３４に進む。顕熱比の判別は、例えば室内機のケーシング内に設けられた吸込空気の温度および湿度を測定するセンサによる検知データに基づいて行えばよい。
【００６９】
ステップＳ３４では、室内制御部７５ａは、タイマの経過時間（前回のドレンパン３１の洗浄からの累積運転時間）が所定値以上であるか否かを判別する。室内制御部７５ａは、タイマ経過時間が所定値以上である場合には、ドレンパン３１の洗浄を実行するのに適した時期であると判断してステップＳ３５に進み、タイマ経過時間が所定値未満である場合には、ドレンパン３１の洗浄を実行せずにステップＳ３２に戻る。
【００７０】
ステップＳ３５では、室内制御部７５ａは、制御例１と同様にしてドレンパン３１の洗浄を実行した後、ステップＳ３６においてタイマの計測時間をリセットし、ステップＳ３７において通常の冷房運転を再開してステップＳ３２に戻り、上記判別を繰り返す。
【００７１】
この制御例４では、室内制御部７５ａは、運転モードが冷房運転であることを検出し、顕熱比が１未満の冷房運転であることを検出し、かつ、タイマにより計測される前回洗浄時からの経過時間が所定値以上であることを検出した場合に、前記ドレンパンの洗浄を実行するので、ドレンパンにドレン水が過剰に溜まるのを効果的に抑制することができる。
【００７２】
＜制御例５＞
図９は、空気調和装置７１の制御例５を示すフローチャートである。本制御例５では、室内制御部７５ａは、前回のドレンパン３１の洗浄からの除霜運転の累積回数を計測するためのカウンターを備えている。
【００７３】
空気調和装置７１の運転が開始されると、ステップＳ４１において、室内制御部７５ａは、ユーザーから指示された運転モードの判別を行う。室内制御部７５ａは、運転モードが暖房運転である場合にはステップＳ４２に進み、運転モードが暖房運転以外の運転（冷房運転、除湿運転など）である場合にはステップＳ４９に進む。ステップＳ４９では、室内制御部７５ａは、ユーザーからの運転停止の指示があるか否かを判別し、その指示があるまでは空気調和装置７１の運転を継続し、指示があった場合には運転を終了する。
【００７４】
ステップＳ４２において、室内制御部７５ａは、ユーザーから暖房運転の停止の指示があるまでは運転を継続しステップＳ４３に進み、ユーザーから暖房運転の停止の指示があった場合には空気調和装置７１の運転を終了する。
【００７５】
ステップＳ４３において、室内制御部７５ａは、ユーザーから除霜運転の指示があるか否かを判別し、除霜運転の指示があった場合にはステップＳ４４に進み、除霜運転の指示がない場合にはステップＳ４２に戻る。
【００７６】
ステップＳ４４では、室内制御部７５ａは、カウンターの数値（前回のドレンパン３１の洗浄からの累積除霜運転回数）が所定値以上であるか否かを判別する。室内制御部７５ａは、カウンターの数値が所定値以上である場合には、ドレンパン３１の洗浄を実行するのに適した時期であると判断してステップＳ４５に進み、カウンターの数値が所定値未満である場合には、ドレンパン３１の洗浄を実行せずにステップＳ４７に進む。
【００７７】
ステップＳ４５では、室内制御部７５ａは、制御例１と同様にしてドレンパン３１の洗浄を実行した後、ステップＳ４６においてカウンターの数値をリセットし、ステップＳ４７に進む。
【００７８】
室内制御部７５ａは、ステップＳ４７において除霜運転を実行した後、ステップＳ４８で通常の暖房運転を再開してステップＳ４２に戻り、上記判別を繰り返す。
【００７９】
この制御例５では、室内制御部７５ａは、運転モードが暖房運転であることを検出し、かつ、運転回数計測手段により計測される除霜運転の回数が所定値以上であることを検出した場合に、ドレンパン３１の洗浄を実行するので、暖房運転中であってもドレンパンにドレン水が溜まりやすい上記条件を満たす場合にドレンパンの洗浄を実行することができ、ドレンパンにドレン水が過剰に溜まるのを効果的に抑制することができる。
【００８０】
＜制御例６＞
図１０は、空気調和装置７１の制御例６を示すフローチャートである。本制御例６では、空気調和装置７１は図略の加湿器を備えている。
【００８１】
空気調和装置７１の運転が開始されると、ステップＳ５１において、室内制御部７５ａは、ユーザーから指示された運転モードの判別を行う。室内制御部７５ａは、運転モードが暖房運転である場合にはステップＳ５２に進み、運転モードが暖房運転以外の運転（冷房運転、除湿運転など）である場合にはステップＳ５９に進む。ステップＳ５９では、室内制御部７５ａは、ユーザーからの運転停止の指示があるか否かを判別し、その指示があるまでは空気調和装置７１の運転を継続し、指示があった場合には運転を終了する。
【００８２】
ステップＳ５２において、室内制御部７５ａは、ユーザーから暖房運転の停止の指示があるまでは運転を継続しステップＳ５３に進み、ユーザーから暖房運転の停止の指示があった場合には空気調和装置７１の運転を終了する。
【００８３】
ステップＳ５３において、室内制御部７５ａは加湿器の運転要否を判断する。加湿器運転要否は、例えばユーザーから加湿器運転の指示があるか否かに基づいて判断する、室内の湿度を図略の湿度計により検知してその湿度が所定値以下であるか否かに基づいて判断するなど、種々の判断基準に基づいて行うことができる。室内制御部７５ａは、加湿器運転が必要と判断した場合にはステップＳ５４に進み、加湿器運転は不要であると判断した場合にはステップＳ５２に戻る。
【００８４】
ステップＳ５４では、室内制御部７５ａは、制御例１と同様にしてドレンパン３１の洗浄を実行した後、ステップＳ５５において加湿器の運転を開始してステップＳ５６に進む。
【００８５】
ステップＳ５６では、室内制御部７５ａは加湿器の停止要否を判断する。加湿器停止要否は、例えばユーザーから加湿器停止の指示があるか否かに基づいて判断する、室内の湿度を図略の湿度計により検知してその湿度が所定値以上であるか否かに基づいて判断するなど、種々の判断基準に基づいて行うことができる。室内制御部７５ａは、加湿器を停止してよいと判断した場合にはステップＳ５７に進んで加湿器を停止した後、ステップＳ５８において通常の暖房運転を再開し、ステップＳ５２に戻り、上記判別を繰り返す。
【００８６】
この制御例６では、空気調和装置７１は、加湿器をさらに備え、室内制御部７５ａは、運転モードが暖房運転であることを検出し、かつ、加湿器の運転を検出した場合に、ドレンパン３１の洗浄を実行するので、暖房運転中であってもドレンパンにドレン水が溜まりやすい上記条件を満たす場合にドレンパンの洗浄を実行することができ、ドレンパンにドレン水が過剰に溜まるのを効果的に抑制することができる。
【００８７】
なお、本発明は、上記実施形態に限られるものではなく、その趣旨を逸脱しない範囲で種々変更、改良等が可能である。例えば、上記実施形態では、アーム部材および洗浄部材が往復移動する場合を例に挙げて説明したが、例えば駆動手段によってアーム部材を長手方向の軸を中心にして回転させて洗浄部材を回転させてもよい。このような回転運動をさせることによって、例えばドレン出口、ドレンソケット、ドレン配管などの管状部材の内面を効果的に洗浄することができる。
【００８８】
また、上記実施形態では、アーム部材がワイヤで、洗浄部材がワイヤブラシである場合を例に挙げて説明したが、これらに限定されるものではなく、アーム部材としては、例えば複数の棒状部材が連結され、連結部分が回動可能な間接となったような形態であってもよく、また、洗浄部材としては、例えばスポンジ状の部材、刷毛状の部材など種々の形態であってもよい。
【００８９】
また、上記実施形態では、洗浄部材によりドレン出口およびドレンソケットの内部を洗浄する場合を例に挙げて説明したが、洗浄部位はこれらに限定されるものではなく、ドレンパンの底面など、種々の部位を洗浄することができる。
【００９０】
また、上記実施形態では、制御例４において、顕熱比が１未満であるか否かをドレンパンの洗浄を実行するかどうかの判断基準の一つにした場合を例に挙げて説明したが、制御例４では、図８のステップＳ３３に示す顕熱比が１未満であるか否かの判別に代えて、例えば、空気調和装置内の空気が露点未満であるか否かを判別基準にしてもよい。空気調和装置内の空気が露点未満の場合には、結露が生じてドレンパンにドレン水が溜まりやすいので、このような場合にドレンパンの洗浄を行うことによりドレンパンにドレン水が過度に溜まるのを抑制できる。空気調和装置内の空気が露点未満であるか否かは、例えば室内機内に設けられた温度および湿度を測定するセンサにより検知することができる。
【００９１】
また、上記実施形態のように、制御例１〜６はそれぞれ独立した制御であってもよいが、これらの制御例１〜６から選ばれる２つ以上を組み合わせてドレンパン洗浄装置の制御を実行してもよい。
【図面の簡単な説明】
【００９２】
【図１】本発明の一実施形態にかかる空気調和装置を示す構成図である。
【図２】図１の空気調和装置の室内機におけるドレンパン周辺の構造を示す平面図である。
【図３】図２のIII−III線断面図であり、ドレンパン洗浄装置の未使用時の状態を示している。
【図４】ドレンパン洗浄装置の使用時の状態を示す断面図である。
【図５】空気調和装置の制御例１を示すフローチャートである。
【図６】空気調和装置の制御例２を示すフローチャートである。
【図７】空気調和装置の制御例３を示すフローチャートである。
【図８】空気調和装置の制御例４を示すフローチャートである。
【図９】空気調和装置の制御例５を示すフローチャートである。
【図１０】空気調和装置の制御例６を示すフローチャートである。
【符号の説明】
【００９３】
１７  送風機
１９  熱交換器
２５  室内機
３１  ドレンパン
３３  ドレン出口
３５  ドレンソケット
３７  ドレン配管
３９  フロートスイッチ
４１  ドレンパン洗浄装置
４３  電動機
４５  巻取部材
４７  ガイド部材
４９  アーム部材
５１  洗浄部材
５３  回転軸
５５  駆動部
６１  スライム
６３  ドレン水
７１  空気調和装置
７３  室外機
７５  制御部
７５ａ  室内制御部
【図１】
2010156482.tif 000003
【図２】
2010156482.tif 000004
【図３】
2010156482.tif 000005
【図４】
2010156482.tif 000006
【図５】
2010156482.tif 000007
【図６】
2010156482.tif 000008
【図７】
2010156482.tif 000009
【図８】
2010156482.tif 000010
【図９】
2010156482.tif 000011
【図１０】
2010156482.tif 000012